(57)【要約】【課題】鳥獣焼却施設においてバグフィルターをできるだけ目詰まりし難くすること。【解決手段】本発明の鳥獣焼却施設は、燃焼炉、燃焼炉からの排ガスが通過すると共に排ガスの進行方向を２つ有する排ガス路、排ガスの進行方向を切り換える切換装置、排ガスの水分量検出器、制御装置を備える。排ガス路は、バグフィルター、排気筒、燃焼炉とバグフィルターを接続する第一メイン通路、バグフィルターと排気筒を接続する第二メイン通路、バグフィルターを迂回して第一メイン通路と排気筒を接続するバイパス通路を備える。切換装置は、排ガスの進行方向をバイパス通路側とバグフィルター側に切り換える。制御装置は、水分量検出器の検出結果に基づいて切換装置を制御し、排ガスの進行方向をバイパス通路側にする場合には、排ガスの進行方向をバグフィルター側にする場合に比べて、水分量検出器の検出結果の水分量が多いことを特徴とする。【選択図】      図１
2018179379.tif 000002
【特許請求の範囲】
【請求項１】
鳥獣を燃焼する燃焼炉、燃焼炉から排出される排ガスが通過すると共に排ガスの進行方向を２つ有する排ガス路、排ガスの進行方向を切り換える切換装置、排ガスに含まれる水分量を検出する水分量検出器、切換装置を制御する制御装置を備え、
排ガス路は、排ガスに含まれる固体粒子を除去するバグフィルター、排ガスを大気に放出する排気筒、燃焼炉とバグフィルターを接続する第一メイン通路、バグフィルターと排気筒を接続する第二メイン通路、バグフィルターを迂回して第一メイン通路と排気筒を接続するバイパス通路を備え、
切換装置は、排ガスの進行方向をバイパス通路側とバグフィルター側に切り換えるものであり、
制御装置は、水分量検出器の検出結果に基づいて切換装置を制御するもので、
切換装置による排ガスの進行方向をバイパス通路側にする場合には、切換装置による排ガスの進行方向をバグフィルター側にする場合に比べて、水分量検出器の検出結果の水分量が多いことを特徴とする鳥獣焼却施設。
【請求項２】
水分量検出器は、排ガス路内のうち切換装置よりも一次側に設置してあることを特徴とする請求項１記載の鳥獣焼却施設。
【請求項３】
バグフィルターよりも一次側に排ガスの温度を検出する温度検出器を備え、
制御装置は、温度検出器と水分量検出器の検出結果に基づいて切換装置を制御するもので、
切換装置による排ガスの進行方向をバグフィルター側にするときは、水分量検出器の検出結果の水分量と温度検出器の検出結果の温度が、バグフィルターに排ガスを通過させるための設定温度条件と設定水分量条件を満たす場合であり、
切換装置による排ガスの進行方向をバイパス通路側にするときは、設定温度条件と設定水分量条件の少なくとも一方を満たさない場合であることを特徴とする請求項１または２記載の鳥獣焼却施設。
【発明の詳細な説明】
【技術分野】
【０００１】
本発明は、猪や鹿等の鳥獣を焼却処理する施設に関する。
【背景技術】
【０００２】
鳥獣保護管理法により、適正な生体数調整のため、鳥獣を焼却することがある。そのために鳥獣焼却施設が存在し、鳥獣焼却施設には死亡した鳥獣が搬入される。鳥獣にはダニやノミ等が付着していることがある。ダニやノミ等の中には人体に悪影響を及ぼすものも存在するので、鳥獣焼却施設に投入するまでの間、冷凍庫に鳥獣を保管し、ダニやノミ等の活動を抑えておくことになっている（特許文献１）。
【先行技術文献】
【特許文献】
【０００３】
【特許文献１】特開２０１６−７７２３０号公報
【発明の概要】
【発明が解決しようとする課題】
【０００４】
ところが、凍った鳥獣を鳥獣焼却施設で焼却炉で焼却すると、焼却炉の二次側に設置されたバグフィルターがすぐに目詰まりしてしまった。
この原因は、焼却炉に投入する鳥獣が凍っていることによる。焼却の初期段階では、鳥獣の表面を覆っている氷が融けて気化し、排ガス中に大量の水分が含まれることになる。そして水分が大量に含まれた排ガスをバグフィルターに通過させると、バグフィルターが目詰まりする。
【０００５】
本発明は上記実情を考慮して創作されたものであり、その目的はバグフィルターをできるだけ目詰まりし難くすることである。
【課題を解決するための手段】
【０００６】
本発明の鳥獣焼却施設は、鳥獣を燃焼する燃焼炉、燃焼炉から排出される排ガスが通過すると共に排ガスの進行方向を２つ有する排ガス路、排ガスの進行方向を切り換える切換装置、排ガスに含まれる水分量を検出する水分量検出器、切換装置を制御する制御装置を備える。排ガス路は、排ガスに含まれる固体粒子を除去するバグフィルター、排ガスを大気に放出する排気筒、燃焼炉とバグフィルターを接続する第一メイン通路、バグフィルターと排気筒を接続する第二メイン通路、バグフィルターを迂回して第一メイン通路と排気筒を接続するバイパス通路を備えるものである。切換装置は、排ガスの進行方向をバイパス通路側とバグフィルター側に切り換えるものである。制御装置は、水分量検出器の検出結果に基づいて切換装置を制御するもので、切換装置による排ガスの進行方向をバイパス通路側にする場合には、切換装置による排ガスの進行方向をバグフィルター側にする場合に比べて、水分量検出器の検出結果の水分量が多いものである。
【０００７】
また水分量検出器は排ガスの水分量を検出できればどこに設置してもよく、例えばバグフィルターの内部や排気筒に設置しても良いが、水分量の多い排ガスがバグフィルターにできるだけ入らないような位置に設置することが望ましく、それには次のようにする。
本発明の第２の発明は、水分量検出器を排ガス路内のうち切換装置よりも一次側に設置してあるものである。
なお一次側とはある地点に対して排ガスが接近してくる側であり、二次側とある地点に対して排ガスが接近してくる側である。
【０００８】
またバグフィルターは、ろ布を使用するものなので、焼損しないようにすることが望ましい。それには次のようにする。
本発明の第３の発明は、バグフィルターよりも一次側に排ガスの温度を検出する温度検出器を備える。制御装置は、温度検出器と水分量検出器の検出結果に基づいて切換装置を制御するもので、以下の１）、２）のように制御する。
１）切換装置による排ガスの進行方向をバグフィルター側にするときは、水分量検出器の検出結果の水分量と温度検出器の検出結果が、バグフィルターに排ガスを通過させるための設定温度条件と設定水分量条件を満たす場合である。
２）切換装置による排ガスの進行方向をバグフィルター側にするときは、設定温度条件と設定水分量条件の少なくとも一方を満たさない場合である。
【発明の効果】
【０００９】
本発明の鳥獣焼却施設は、制御装置が水分量検出器の検出結果に基づいて切換装置を制御して、排気ガスに含まれる水分量が多い場合にはバイパス通路に排気ガスを通過させ、水分量が少ない場合にはバグフィルターに排気ガスを通過させることになるので、常にバグフィルターに排気ガスを通過させるものに比べれば、バグフィルターが目詰まりし難くなる。
【００１０】
また本発明の第２の発明によれば、水分量検出器を排ガス路内のうち切換装置よりも一次側に設置してあるので、バグフィルターに入る前の排ガスに含まれる水分量を検出でき、切換装置で排ガスの進行方向をどちらに切り換えたとしても、水分量検出器で排ガスに含まれる水分量を検出することができ、排気筒に入る直前に水分量検出器を設置した場合に比べて、バグフィルターに入る排ガスの水分量をより高精度で検出することができ、排ガスの進行方向を切り換えるタイミングの条件である水分量の設定値をより適切な値に設定することができる。
【００１１】
また本発明の第３の発明によれば、バグフィルターよりも一次側の温度検出器と水分量検出器の検出結果に基づいて、制御装置が切換装置を制御するので、バグフィルターが目詰まりし難い上に、損傷し難い。
【図面の簡単な説明】
【００１２】
【図１】本発明の第一実施形態の鳥獣焼却施設を示す説明図である。
【図２】本発明の第一実施形態の鳥獣焼却施設での切換装置の作動手順を示すフローチャートである。
【発明を実施するための形態】
【００１３】
本発明の第一実施形態の鳥獣焼却施設は図１に示すように、建屋１内に鳥獣２を搬入する前室３、前室３内に置かれた台車４と、台車４上の鳥獣２を前室３から送り込んで焼却する燃焼炉５、燃焼炉５から排出される排ガスが通過する排ガス路６を備える。なお図示しないが、第一実施形態の鳥獣焼却施設は図示しないが、建屋内に冷凍庫を備えるものとする。
【００１４】
燃焼炉５は、図示しないが、鳥獣２を燃焼する主燃炉、主燃炉から排出される排ガスを燃焼する再燃炉を備える。また主燃炉と再燃炉にはバーナー５ａがそれぞれ設置されており、バーナー５ａに送風機５ｂで空気を送ると共に、燃料を送るようになっている。
【００１５】
排ガス路６は燃焼炉５から排出される排ガスが通過するものである。また排ガス路６は、燃焼炉５の二次側に対して（排ガスの進行方向に沿って）順に、第一メイン通路７、バグフィルター８、第二メイン通路９、排気筒１０を接続してある。また排ガス路６は、バグフィルター８を迂回して第一メイン通路７と排気筒１０を接続するバイパス通路１１を備える。したがって排ガス路６は、排気筒１０に向かう通路（排ガスの進行方向）を２つ有するもので、バグフィルター８を経由して排気筒１０に向かう通路と、バイパス通路１１を経由して排気筒１０に向かう通路を備えるものである。
より詳しく言えば、バグフィルター８を経由して排気筒１０に向かう通路と、バイパス通路１１を経由して排気筒１０に向かう通路は、排気筒１０に達する前で合流している。つまり第二メイン通路９とバイパス通路１１は、互いの二次側部分において一本の通路となっている。そしてこの一本となった通路には、排ガスを吸い込んで排気筒に送り出す送風機１０ａが設置されている。
【００１６】
第一メイン通路７は、燃焼炉５の二次側とバグフィルター８の一次側を接続する通路であり、その通路が延長する長さ方向の中間部に冷却装置７ａを備える。
【００１７】
また冷却装置７ａは排ガスの進行方向に沿って、一次冷却器７ｂと、二次冷却器としての熱交換器７ｃを備えるものである。したがって第一メイン通路７には、燃焼炉５と一次冷却器７ｂを接続する管７ｄと、一次冷却器７ｂと熱交換器７ｃを接続する管７ｅと、熱交換器７ｃとバグフィルター８を接続する管７ｆが存在する。
また冷却器の一次冷却器７ｂと熱交換器７ｃには送風機７ｈで空気を送るようになっている。
【００１８】
バグフィルター８は、ろ布を使用して、燃焼炉５から排出される排ガスに含まれる固体粒子を気体から分離し、除去するものである。
【００１９】
排気筒１０は、燃焼炉５から排出される排ガスを建屋１外の大気に放出するものであり、建屋１内から建屋１の天井よりも上方に突出している。
【００２０】
バイパス通路１１はその一次側の端を、冷却装置７ａ（熱交換器７ｃ）とバグフィルター８を接続する管７ｆが延長する長さ方向の中間部に接続するものである。
【００２１】
また前室３、台車４、燃焼炉５、排ガス路６の他に第一実施形態の鳥獣焼却施設は、排ガスの進行方向を切り換える切換装置１２、排ガス路６内の排ガスに含まれる水分量を検出する水分量検出器１３、排ガスの温度を検出する温度検出器１４、切換装置１２や送風機等を制御する制御装置１５を備える。
【００２２】
切換装置１２は、バイパス通路１１に設置されたバイパス通路専用の切換装置１２ａ、熱交換器７ｃとバグフィルター８を接続する管７ｆのうちバイパス通路１１が分岐している部分よりも二次側に設置されたバグフィルター専用の切換装置１２ｂを備える。
【００２３】
バグフィルター専用の切換装置１２ｂは、管７ｆの内部に配置されると共に管７ｆを開閉する切換板１２ｂ１と、切換板１２ｂ１を揺動可能に支持する軸１２ｂ２と、切換板１２ｂ１を駆動する駆動部１２ｂ３を備える。
駆動部１２ｂ３は、シリンダであり、シリンダケース１２ｂ４と、シリンダケース１２ｂ４に供給される流体によって往復動するシリンダロッド１２ｂ５を備える。シリンダケース１２ｂ４は管７ｆの外部に設置される。シリンダロッド１２ｂ５は管７ｆの外部から内部に突入しており、シリンダロッド１２ｂ５の先端部は切換板１２ｂ１に連結されている。なお駆動部は、シリンダケース１２ｂ４内に流体を出入りさせる電磁弁などのドライバー部（図示せず）を備え、ドライバー部を制御装置１５に接続してある。そして駆動部は制御装置１５の指令によってシリンダロッドを往復動させる。
【００２４】
バイパス通路専用の切換装置１２ａはバグフィルター専用の切換装置１２ｂと同様であり、バイパス通路１１の管内に配置されると共にバイパス通路１１を開閉する切換板１２ａ１と、切換板１２ａ１を揺動可能に支持する軸１２ａ２と、切換板１２ａ１を駆動する駆動部１２ａ３を備える。この駆動部１２ａ３は、バグフィルター専用の切換装置１２ｂの駆動部１２ｂ３と同一構造であるので、説明を省略する。
【００２５】
切換装置１２は、排ガスの進行方向をバイパス通路側にする場合（バイパス通路１１に排ガスを通過させる場合）には、バイパス通路専用の切換装置１２ａの切換板１２ａ１を、バイパス通路１１を開く位置に保持し、バグフィルター専用の切換装置１２ｂの切換板１２ｂ１を、第一メイン通路７を閉じる位置に保持する。
一方、切換装置１２は、排ガスの進行方向をバグフィルター側にする場合（バグフィルター８に排ガスを通過させる場合）には、バイパス通路専用の切換装置１２ａの切換板１２ａ１を、バイパス通路１１を閉じる位置に保持し、バグフィルター専用の切換装置１２ｂの切換板１２ｂ１を、第一メイン通路７を開く位置に保持する。
【００２６】
水分量検出器１３と温度検出器１４は、排ガス路６内に設置されている。より詳しく言えば、水分量検出器１３と温度検出器１４は、排ガス路６内のうち切換装置１２よりも一次側で且つ冷却装置７ａよりも二次側に設置してある。そして水分量検出器１３と温度検出器１４はその検出結果が制御装置１５に送信されるように接続されている。
【００２７】
制御装置は図２に示すようにして、切換装置を制御する。
１）制御装置は、切換装置に制御指令を送り、排ガスの進行方向をバイパス通路側となるようにする。この後に燃焼炉で焼却を開始する。焼却が行われると、排ガスが発生する。燃焼炉に投入される鳥獣は凍っているので、焼却の開始直後の排ガスは水分の多い状態になっている。したがって排ガスの温度、水分量は徐々に上昇していく。
２）制御装置は、水分量検出器の検出値（検出結果）に基づいて、排ガス中に含まれる水分量が何ppmかを測定し、検出値の水分量が設定値以下であるか否かを判定する。
水分量の設定値は、バグフィルターが目詰まりし難いと考えられる値にする。
この判定処理は水分量が設定値以下になるまで行われる。したがって設定水分量条件が満たされない場合には、切換装置による排ガスの進行方向がバイパス通路側のままである。
水分量が設定値以下になると、次の処理に移る。
３）制御装置は、温度検出器の検出値（検出結果）に基づいて、排ガスの温度が何度かを測定し、検出値の温度が設定温度以下であるか否かを判定する。
温度の設定値は、バグフィルターが焼損しないように、焼損する最低温度よりも若干低い温度に設定する。
この判定結果が設定値よりも大きい場合には、１）の処理に戻る。したがって設定温度条件が満たされない場合には、切換装置による排ガスの進行方向がバイパス通路側である。
一方、この判定結果が設定値以下である場合には、次の処理に移る。
４）設定温度以下である場合には、制御装置は、切換装置に制御指令を送り、排ガスの進行方向をバグフィルター側となるように制御する。なお排ガスの進行方向をバグフィルター側に制御したときは、ここでの設定温度条件を満たす場合であり、しかも２）の処理では設定水分量条件満たす場合である。そして次の処理に移る。
５）制御装置は焼却が終了したか否かを判定する。たとえば燃焼炉内の鳥獣が火葬されたことを、台車上の下に設置された重量検出器で検出し、設定値の重量以下になった場合には制御装置は焼却処理を終了する。一方、設定値の重量よりも重い場合には、再度、２）の判定処理に戻る。
【００２８】
このようにして焼却すると、鳥獣が灰になる。灰を回収するために第一実施形態の鳥獣焼却施設は、前室３に灰通路１６を介して灰集塵機１７を接続してあり、前室３内の灰を回収するようになっている。またバグフィルター８に灰通路１８を介して灰集塵機１９を接続してあり、バグフィルター内で除去した灰を回収するようになっている。
【００２９】
上記した第一実施形態の鳥獣焼却施設は以下の効果を有する。
制御装置１５が水分量検出器１３の検出結果に基づいて切換装置１２を制御して、排気ガスに含まれる水分量が設定値よりも多い場合にはバイパス通路１１に排気ガスを通過させ、水分量が設定値よりも少ない場合にはバグフィルター８に排気ガスを通過させることになるので、常にバグフィルター８に排気ガスを通過させるものに比べれば、バグフィルター８が目詰まりし難くなる。
【００３０】
また水分量検出器１３を排ガス路６内のうち切換装置１２よりも一次側（より詳しく言えば、冷却装置７ａと切換装置１２との間の管７ｆ内）に設置してあるので、バグフィルター８に入る前の排ガスに含まれる水分量を検出でき、切換装置１２で排ガスの進行方向をどちらに切り換えたとしても、水分量検出器１３で排ガスに含まれる水分量を検出することができ、排気筒１０に入る直前に水分量検出器１３を設置した場合に比べて、バグフィルター８に入る排ガスの水分量をより高精度で検出することができ、排ガスの進行方向を切り換えるタイミングの条件である水分量の設定値をより適切な値に設定することができる。
【００３１】
また温度検出器１４を排ガス路６内のうち切換装置１２よりも一次側（より詳しく言えば、冷却装置７ａと切換装置１２との間の管７ｆ内）に設置してあるので、バグフィルター８に入る前の排ガスの温度を検出でき、切換装置１２で排ガスの進行方向をどちらに切り換えたとしても、温度検出器１４で排ガスの温度を検出することができる。
【００３２】
このようにバグフィルター８よりも一次側の温度検出器１４と水分量検出器１３の検出結果に基づいて、制御装置１５が切換装置１２を制御するので、切換装置１２が排ガスの進行方向をどちらにしていても、水分量と温度が検出でき、バグフィルター８が目詰まりし難い上に、損傷し難い。
【００３３】
本発明は上記実施形態に限定されるものではなく、その趣旨を逸脱しない範囲において適宜変更可能である。例えば、切換装置１２は、本実施形態ではバイパス通路専用の切換装置１２ａとバグフィルター専用の切換装置１２ｂを別々に備えるもの、専用の切換装置を２つ備えるものであったが、本発明はこれに限らず、第一メイン通路７とバイパス通路１１の分岐部分に兼用の切換装置を１つ備えるものであっても良い。この場合、兼用の切換装置は、切換板を一方の位置で停止させれば、バイパス通路１１にのみ排ガスが通過し、切換板を他方の位置で停止させれば、バグフィルター８にのみ排ガスが通過するようにする。
【符号の説明】
【００３４】
１  建屋
２  鳥獣
３  前室
４  台車
５  燃焼炉
５ａ  バーナー
５ｂ  送風機
６  排ガス路
７  第一メイン通路
７ａ  冷却装置
７ｂ  一次冷却器
７ｃ  熱交換器
７ｄ  管
７ｅ  管
７ｆ  管
７ｈ  送風機
８  バグフィルター
９  第二メイン通路
１０  排気筒
１０ａ  送風機
１１  バイパス通路
１２  切換装置
１２ａ  バイパス通路専用の切換装置
１２ａ１  切換板
１２ａ２  軸
１２ａ３  駆動部
１２ｂ  バグフィルター専用の切換装置
１２ｂ１  切換板
１２ｂ２  軸
１２ｂ３  駆動部
１２ｂ４  シリンダケース
１２ｂ５  シリンダロッド
１３  水分量検出器
１４  温度検出器
１５  制御装置
１６  灰通路
１７  灰集塵機
１８  灰通路
１９  灰集塵機
【図１】
2018179379.tif 000003
【図２】
2018179379.tif 000004